(57)【特許請求の範囲】
【請求項１】
第１のリフレクタと、
一部に傾斜面を有する第２のリフレクタと、
前記第１及び第２のリフレクタの間に配置される多数の光源と、
前記各光源の間に配置される第３のリフレクタと、を含み、
前記第３のリフレクタは、
第１の反射部材と、
第２の反射部材と、を含み、
前記第１の反射部材は、前記第２の反射部材より前記光源に隣接するように配置され、前記第１の反射部材は、前記第２の反射部材より高い反射率を有する、ディスプレイ装置。
【請求項２】
前記第３のリフレクタは、前記第１のリフレクタから第１の距離だけ離隔し、前記第２のリフレクタから第２の距離だけ離隔する、請求項１に記載のディスプレイ装置。
【請求項３】
前記第１の距離と第２の距離は互いに異なる、請求項２に記載のディスプレイ装置。
【請求項４】
前記第３のリフレクタは、前記第１のリフレクタ及び第２のリフレクタのうち少なくともいずれか一つに接触する、請求項１から３のうちいずれか１項に記載のディスプレイ装置。
【請求項５】
前記傾斜面は、凹面、凸面及び平面のうち少なくともいずれか一つである、請求項１から４のうちいずれか１項に記載のディスプレイ装置。
【請求項６】
前記第２のリフレクタの傾斜面は前記第１のリフレクタと重畳される、請求項１から５のうちいずれか１項に記載のディスプレイ装置。
【請求項７】
前記第２のリフレクタは少なくとも一つの平面を含み、前記第２のリフレクタの平面は前記第１のリフレクタに対して平行な面である、請求項１から６のうちいずれか１項に記載のディスプレイ装置。
【請求項８】
前記第２のリフレクタは、少なくとも一つの変曲点を有する少なくとも２個の傾斜面を含み、前記変曲点を中心に隣接する第１及び第２の傾斜面の曲率は互いに異なる、請求項１から７のうちいずれか１項に記載のディスプレイ装置。
【請求項９】
前記第２のリフレクタから一定間隔だけ空間を置いて配置される光学部材をさらに含み、前記第２のリフレクタと前記光学部材との間の空間には導光板がない、請求項１から８のうちいずれか１項に記載のディスプレイ装置。
【請求項１０】
前記第２のリフレクタから一定間隔だけ空間を置いて配置される光学部材をさらに含み、前記第２のリフレクタと前記光学部材との間の空間にはエアガイドが形成される、請求項１から９のうちいずれか１項に記載のディスプレイ装置。
【請求項１１】
前記光学部材の一部の表面上に備えられ、光を前記第２のリフレクタに反射させる光反射層をさらに含む、請求項９又は１０に記載のディスプレイ装置。
【請求項１２】
前記光反射層は複数の層からなり、前記層は、前記光源から遠ざかるほど面積が減少する、請求項１１に記載のディスプレイ装置。
【請求項１３】
前記光学部材の一部の表面上に備えられ、光を前記第２のリフレクタに散乱させる光散乱層をさらに含む、請求項９から１２のうちいずれか１項に記載のディスプレイ装置。
【請求項１４】
前記光散乱層はＴｉＯ２又はＡｌ２Ｏ３からなる、請求項１３に記載のディスプレイ装置。
【請求項１５】
前記光散乱層は複数の層からなり、前記層は、前記光源から遠ざかるほど面積が減少する、請求項１３又は１４に記載のディスプレイ装置。
【請求項１６】
前記光源は基板上に配列され、前記光源は、光の入射角が臨界角以上である第１の面と、光の入射角が臨界角未満である第２の面とがそれぞれ少なくとも１個ずつ備えられたレンズを含む、請求項１から１５のうちいずれか１項に記載のディスプレイ装置。
【請求項１７】
前記レンズは屈折率が１以上の高分子物質である、請求項１６に記載のディスプレイ装置。
【請求項１８】
前記レンズは前記第１の面と第２の面が少なくとも２回繰り返して配置された、請求項１６又は１７に記載のディスプレイ装置。
【請求項１９】
前記レンズは少なくとも一つの溝を含み、前記基板は前記レンズの溝に挿入されて固定される、請求項１６から１８のうちいずれか１項に記載のディスプレイ装置。
【請求項２０】
前記第３のリフレクタは、
前記光源の両側に配置される第１及び第２のセグメントと、
前記第１及び第２のセグメントに連結され、前記第１のリフレクタと光源との間に配置される第３のセグメントと、を含む、請求項１から１９のうちいずれか１項に記載のディスプレイ装置。
【請求項２１】
前記第３のリフレクタは前記光源の周囲を覆うように配置される、請求項１から２０のうちいずれか１項に記載のディスプレイ装置。
【請求項２２】
前記第３のリフレクタの少なくとも一部は前記第１のリフレクタに重畳される、請求項１から２１のうちいずれか１項に記載のディスプレイ装置。
【請求項２３】
ディスプレイパネルをさらに含み、
前記多数の光源から放出された光は前記ディスプレイパネルに照射される請求項１から２２のうちいずれか１項に記載のディスプレイ装置。
【請求項２４】
前記光散乱層は、前記光源から遠ざかるほど密度が減少する、請求項１３から１５のうちいずれか１項に記載のディスプレイ装置。
【請求項２５】
前記光反射層は、前記光源から遠ざかるほど密度が減少する、請求項１１又は１２に記載のディスプレイ装置。
【請求項２６】
前記光源は基板上に配列され、前記第３のリフレクタは、前記各光源の間の前記基板から突出する、請求項１から２５のうちいずれか１項に記載のディスプレイ装置。
【請求項２７】
前記互いに隣接する第３のリフレクタの間には一つ又は多数の光源が配置される、請求項１から２６のうちいずれか１項に記載のディスプレイ装置。
【請求項２８】
前記第２のリフレクタの前記傾斜面は、前記第１のリフレクタの表面に対して所定の傾きを有する、請求項１から２７のうちいずれか１項に記載のディスプレイ装置。
【発明の詳細な説明】
【技術分野】
【０００１】
実施例は、バックライトユニット及びそれを用いたディスプレイ装置に関するものである。
【背景技術】
【０００２】
一般に、代表的な大型ディスプレイ装置としては、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）などがある。
【０００３】
自発光方式のＰＤＰとは異なって、ＬＣＤは、自発的な発光素子の不在のため別途のバックライトユニットが必ず必要である。
【０００４】
ＬＣＤに使用されるバックライトユニットは、光源の位置によってエッジ（ｅｄｇｅ）方式のバックライトユニットと直下方式のバックライトユニットに区分されるが、エッジ方式では、ＬＣＤパネルの左右側面又は上下側面に光源を配置し、導光板を用いて光を全面に均一に分散させるので、光の均一性が良く、パネル厚さの超薄型化が可能である。
【０００５】
直下方式は、通常２０インチ以上のディスプレイに使用される技術であって、パネルの下部に複数の光源を配置するので、エッジ方式に比べて光効率に優れるという長所を有し、高輝度を要求する大型ディスプレイに主に使用される。
【０００６】
既存のエッジ方式や直下方式のバックライトユニットの光源としては、ＣＣＦＬ（Ｃｏｌｄ  Ｃａｔｈｏｄｅ  Ｆｌｕｏｒｅｓｃｅｎｔ  Ｌａｍｐ）を用いた。
【０００７】
しかし、ＣＣＦＬを用いたバックライトユニットでは、常にＣＣＦＬに電源が印加されるので、相当量の電力消耗をもたらし、ＣＲＴに比べて約７０％水準の色再現率、水銀の添加による環境汚染問題などが短所として指摘されている。
【０００８】
前記問題を解消するための代替品として、現在、ＬＥＤ（Ｌｉｇｈｔ  Ｅｍｉｔｔｉｎｇ  ｄｉｏｄｅ）を用いたバックライトユニットに対する研究が活発に行われている。
【０００９】
ＬＥＤをバックライトユニットに使用する場合、ＬＥＤアレイの部分的なオン／オフが可能であり、消耗電力を画期的に減少させることができ、ＲＧＢ  ＬＥＤの場合、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）色再現範囲仕様の１００％を上回り、より生々しい画質を消費者に提供することができる。
【００１０】
また、半導体工程で製作されるＬＥＤは、環境に無害であるという特徴を有する。
【００１１】
現在、前記のような長所を有するＬＥＤを採用したＬＣＤ製品が継続して市販されているが、既存のＣＣＦＬ光源とは異なる駆動メカニズムを有するので、駆動ドライバー、ＰＣＢ基板などが高価である。
【００１２】
したがって、ＬＥＤバックライトユニットは、未だに高価のＬＣＤ製品のみに適用されている。
【発明の概要】
【発明が解決しようとする課題】
【００１３】
実施例は、互いに隣接する各光源の間にリフレクタを配置し、均一な輝度及びエアガイドを有するバックライトユニット及びそれを用いたディスプレイ装置を提供しようとする。
【課題を解決するための手段】
【００１４】
実施例は、第１のリフレクタと、一部に傾斜面を有する第２のリフレクタと、第１及び第２のリフレクタの間に配置される多数の光源と、各光源の間に配置される第３のリフレクタとを含むことができる。
【００１５】
ここで、第３のリフレクタは、第１のリフレクタから第１の距離だけ離隔し、第２のリフレクタから第２の距離だけ離隔することができ、第１の距離と第２の距離は互いに異なり得る。
【００１６】
そして、第３のリフレクタは、第１のリフレクタに接触し、第２のリフレクタから離隔したり、又は、第１のリフレクタと第２のリフレクタに接触することができる。
【００１７】
そして、互いに隣接する各光源の間には一つ又は多数の第３のリフレクタを配置することもでき、互いに隣接する各第３のリフレクタの間には一つ又は多数の光源を配置することもできる。
【００１８】
そして、第３のリフレクタは、光源の両側に配置される第１及び第２のセグメントと、第１及び第２のセグメントに連結され、第１のリフレクタと光源との間に配置される第３のセグメントとを含むことができる。
【００１９】
そして、第３のリフレクタは、光源の周囲を覆うように配置することができる。
【００２０】
また、第３のリフレクタは、第１のリフレクタに重畳されてもよく、第１のリフレクタに一部が重畳されてもよい。
【００２１】
そして、第２のリフレクタの傾斜面は、第１のリフレクタの表面に対して一定角度だけ傾斜した面であってもよく、第１のリフレクタと重畳されてもよい。
【００２２】
そして、第２のリフレクタは、少なくとも一つの傾斜面及び少なくとも一つの平面を含み、第２のリフレクタの平面は第１のリフレクタと平行な面であり得る。
【００２３】
そして、第２のリフレクタは、少なくとも一つの変曲点を有する少なくとも２個の傾斜面を含み、変曲点を中心に隣接する第１及び第２の傾斜面の曲率は互いに異なり得る。
【００２４】
そして、光源は基板上に配列され、第３のリフレクタは、各光源の間の基板から突出することができる。
【００２５】
また、光源は、基板上に配列され、光の入射角が臨界角以上である第１の面と、光の入射角が臨界角未満である第２の面とがそれぞれ少なくとも１個ずつ備えられたレンズを含むこともできる。
【発明の効果】
【００２６】
実施例によると、互いに隣接する各光源の間にリフレクタを配置し、均一な輝度及びエアガイドを有するバックライトユニット及びそれを用いたディスプレイ装置を提供することができる。
【図面の簡単な説明】
【００２７】
【図１Ａ】実施例に係るバックライトユニットを説明するための図である。
【図１Ｂ】実施例に係るバックライトユニットを説明するための図である。
【図１Ｃ】実施例に係るバックライトユニットを説明するための図である。
【図２Ａ】第３のリフレクタと第１及び第２のリフレクタとの間の距離関係を示す図である。
【図２Ｂ】第３のリフレクタと第１及び第２のリフレクタとの間の距離関係を示す図である。
【図２Ｃ】第３のリフレクタと第１及び第２のリフレクタとの間の距離関係を示す図である。
【図３Ａ】第２のリフレクタから離隔した第３のリフレクタと第１のリフレクタの長さを比較して示した図である。
【図３Ｂ】第２のリフレクタから離隔した第３のリフレクタと第１のリフレクタの長さを比較して示した図である。
【図３Ｃ】第２のリフレクタから離隔した第３のリフレクタと第１のリフレクタの長さを比較して示した図である。
【図４Ａ】第２のリフレクタに接触する第３のリフレクタと第１のリフレクタの長さを比較して示した図である。
【図４Ｂ】第２のリフレクタに接触する第３のリフレクタと第１のリフレクタの長さを比較して示した図である。
【図４Ｃ】第２のリフレクタに接触する第３のリフレクタと第１のリフレクタの長さを比較して示した図である。
【図５Ａ】各第３のリフレクタの間に配置される光源を示す図である。
【図５Ｂ】各第３のリフレクタの間に配置される光源を示す図である。
【図５Ｃ】各第３のリフレクタの間に配置される光源を示す図である。
【図６Ａ】各第３のリフレクタの間に配置される光源モジュールを示す図である。
【図６Ｂ】各第３のリフレクタの間に配置される光源モジュールを示す図である。
【図６Ｃ】各第３のリフレクタの間に配置される光源モジュールを示す図である。
【図７Ａ】第３のリフレクタと光源との間の距離関係を示す図である。
【図７Ｂ】第３のリフレクタと光源との間の距離関係を示す図である。
【図８Ａ】多様な形状の側面を有する第３のリフレクタを示す図である。
【図８Ｂ】多様な形状の側面を有する第３のリフレクタを示す図である。
【図８Ｃ】多様な形状の側面を有する第３のリフレクタを示す図である。
【図８Ｄ】多様な形状の側面を有する第３のリフレクタを示す図である。
【図８Ｅ】多様な形状の側面を有する第３のリフレクタを示す図である。
【図９Ａ】多様な長さを有する第３のリフレクタを示す図である。
【図９Ｂ】多様な長さを有する第３のリフレクタを示す図である。
【図９Ｃ】多様な長さを有する第３のリフレクタを示す図である。
【図１０Ａ】多様な反射パターンを有する第３のリフレクタを示す図である。
【図１０Ｂ】多様な反射パターンを有する第３のリフレクタを示す図である。
【図１０Ｃ】多様な反射パターンを有する第３のリフレクタを示す図である。
【図１０Ｄ】多様な反射パターンを有する第３のリフレクタを示す図である。
【図１１】ミラー面を有する第３のリフレクタを示す図である。
【図１２Ａ】反射部材を有する第３のリフレクタを示す図である。
【図１２Ｂ】反射部材を有する第３のリフレクタを示す図である。
【図１２Ｃ】反射部材を有する第３のリフレクタを示す図である。
【図１２Ｄ】反射部材を有する第３のリフレクタを示す図である。
【図１３Ａ】正反射領域及び乱反射領域を含む第３のリフレクタを示す図である。
【図１３Ｂ】正反射領域及び乱反射領域を含む第３のリフレクタを示す図である。
【図１４Ａ】不透過領域及び透過領域を含む第３のリフレクタを示す図である。
【図１４Ｂ】不透過領域及び透過領域を含む第３のリフレクタを示す図である。
【図１５】オープン形状を有する第３のリフレクタを示す図である。
【図１６】クローズ形状を有する第３のリフレクタを示す図である。
【図１７Ａ】傾斜面及び平面を含む第２のリフレクタを示す図である。
【図１７Ｂ】傾斜面及び平面を含む第２のリフレクタを示す図である。
【図１７Ｃ】傾斜面及び平面を含む第２のリフレクタを示す図である。
【図１８Ａ】多数の傾斜面を含む第２のリフレクタを示す図である。
【図１８Ｂ】多数の傾斜面を含む第２のリフレクタを示す図である。
【図１８Ｃ】多数の傾斜面を含む第２のリフレクタを示す図である。
【図１９】正反射領域及び乱反射領域を含む第２のリフレクタを示す図である。
【図２０Ａ】１エッジタイプの第２のリフレクタを示す図である。
【図２０Ｂ】２エッジタイプの第２のリフレクタを示す図である。
【図２０Ｃ】４エッジタイプの第２のリフレクタを示す図である。
【図２０Ｄ】４エッジタイプの第２のリフレクタを示す図である。
【図２１】光学部材を含むバックライトユニットを示す図である。
【図２２】光学部材の形状の一例を示す図である。
【図２３】第２のリフレクタの下部面に形成された補強リブを示す図である。
【図２４】第２のリフレクタの上部面に形成された支持ピンを示す図である。
【図２５】実施例に係るバックライトユニットを有するディスプレイモジュールを示す図である。
【図２６】実施例に係るディスプレイ装置を示した図である。
【図２７】実施例に係るディスプレイ装置を示した図である。
【図２８Ａ】レンズを有するバックライトユニットを示す断面図である。
【図２８Ｂ】図２８ＡのＡ部分の拡大図である。
【図２９Ａ】図２８Ａのレンズを有する光源モジュールを示す断面図である。
【図２９Ｂ】図２８Ａのレンズを有する光源モジュールを示す断面図である。
【図２９Ｃ】図２８Ａのレンズを有する光源モジュールを示す断面図である。
【図３０Ａ】レンズを有するバックライトユニットの光分布を示した図である。
【図３０Ｂ】レンズのないバックライトユニットの光分布を示した図である。
【図３１Ａ】図２８Ａの他の実施例を示した図である。
【図３１Ｂ】図２８Ａの他の実施例を示した図である。
【図３１Ｃ】図２８Ａの他の実施例を示した図である。
【図３１Ｄ】図２８Ａの他の実施例を示した図である。
【図３１Ｅ】図２８Ａの他の実施例を示した図である。
【図３１Ｆ】図２８Ａの他の実施例を示した図である。
【図３２Ａ】図２８Ａの更に他の実施例を示した図である。
【図３２Ｂ】図２８Ａの更に他の実施例を示した図である。
【図３３】実施例に係る表示装置の分解斜視図である。
【発明を実施するための形態】
【００２８】
以下、各実施例を添付の図面を参照して説明する。
【００２９】
本実施例の説明において、各構成要素の「上又は下」に形成されると記載される場合において、上又は下は、二つの構成要素が互いに直接接触したり、一つ以上の他の構成要素が前記二つの構成要素の間に配置されて形成されることを全て含む。
【００３０】
また、「上又は下」と表現される場合、一つの構成要素を基準にして上側方向のみならず、下側方向の意味も含むことができる。
【００３１】
図１Ａ〜図１Ｃは、実施例に係るバックライトユニットを説明するための図であって、図１Ａは断面図で、図１Ｂは下面斜視図で、図１Ｃは平面図である。
【００３２】
図１Ａ〜図１Ｃに示すように、バックライトユニットは、少なくとも一つの光源１１０及び回路基板１２０を含む光源モジュール１００、第１のリフレクタ２００、第２のリフレクタ３００及び第３のリフレクタ４００を含むことができる。
【００３３】
ここで、光源モジュール１００は、第１のリフレクタ２００と第２のリフレクタ３００との間に位置し、第１のリフレクタ２００又は第２のリフレクタ３００に隣接するように配置することができる。
【００３４】
場合によって、光源モジュール１００は、第１のリフレクタ２００に接触すると同時に第２のリフレクタ３００から一定間隔だけ離隔するように配置したり、又は第２のリフレクタ３００に接触すると同時に第１のリフレクタ２００から一定間隔だけ離隔するように配置することができる。
【００３５】
また、光源モジュール１００は、第１のリフレクタ２００と第２のリフレクタ３００から一定間隔だけ離隔するように配置したり、又は第１のリフレクタ２００と第２のリフレクタ３００に同時に接触するように配置することもできる。
【００３６】
そして、光源モジュール１００は、電極パターンを有する回路基板１２０及び光を生成する光源１１０を含むことができる。
【００３７】
このとき、回路基板１２０には、少なくとも一つの光源１１０を実装することができ、電源を供給するアダプタと光源１１０を連結するための電極パターンが形成することができる。
【００３８】
例えば、回路基板１２０の上面には、光源１１０とアダプタを連結するための炭素ナノチューブなどの電極パターンを形成することができる。
【００３９】
このような回路基板は、ポリエチレンテレフタレート（ＰＥＴ）、ガラス、ポリカーボネート（ＰＣ）又はシリコン（Ｓｉ）などからなり、複数の光源１００が実装されるＰＣＢ（Ｐｒｉｎｔｅｄ  Ｃｉｒｃｕｉｔ  Ｂｏａｒｄ）基板であってもよく、フィルム状に形成することができる。
【００４０】
また、回路基板１２０としては、単層ＰＣＢ、多層ＰＣＢ、セラミック基板、メタルコアＰＣＢなどを選択的に使用することができる。
【００４１】
一方、光源１１０は、発光ダイオードチップであってもよく、発光ダイオードチップは、ブルーＬＥＤチップ又は紫外線ＬＥＤチップで構成したり、又は、レッドＬＥＤチップ、グリーンＬＥＤチップ、ブルーＬＥＤチップ、イエローグリーンＬＥＤチップ及びホワイトＬＥＤチップのうち少なくとも一つ又はそれ以上を組み合わせたパッケージ形態で構成することもできる。
【００４２】
そして、ホワイトＬＥＤは、ブルーＬＥＤ上にイエロー燐光を結合したり、ブルーＬＥＤ上にレッド燐光とグリーン燐光を同時に使用して具現することができ、ブルーＬＥＤ上にイエロー燐光、レッド燐光及びグリーン燐光を同時に使用して具現することもできる。
【００４３】
そして、第１のリフレクタ２００と第２のリフレクタ３００との間の空間にエアガイドを備えるように、第１のリフレクタ２００と第２のリフレクタ２００は一定間隔だけ離隔して互いに対向することができる。
【００４４】
そして、第１のリフレクタ２００は、反射コーティングフィルム及び反射コーティング物質層のうちいずれか一つで形成され、光源モジュール１００から生成された光を第２のリフレクタ３００の方向に反射させる役割をすることができる。
【００４５】
また、第１のリフレクタ２００の表面のうち発光モジュール１００に対向する表面上には、鋸歯状の反射パターンが形成され、反射パターンの表面は平面又は曲面であり得る。
【００４６】
第１のリフレクタ２００の表面に反射パターンを形成する理由は、光源モジュール１００で生成された光を第２のリフレクタ３００の中央領域に反射させることによって、バックライトユニットの中央領域における輝度を増加させるためである。
【００４７】
そして、第２のリフレクタ３００は、一部に傾斜面を有することができ、アルミニウム（Ａｌ）、銀（Ａｇ）、金（Ａｕ）、二酸化チタニウム（ＴｉＯ２）などのように高い反射率を有する金属又は金属酸化物を含んで構成することができる。
【００４８】
そして、第２のリフレクタ３００の傾斜面は、光源モジュール１００、第１及び第３のリフレクタ２００、４００のうち少なくともいずれか一つに重畳され得る。
【００４９】
ここで、第２のリフレクタ３００の傾斜面は、第１のリフレクタ２００の表面に対して一定角度だけ傾斜した面であってもよく、傾斜面は、凹面、凸面及び平面のうち少なくともいずれか一つであり得る。
【００５０】
場合によって、第２のリフレクタ３００は、少なくとも一つの傾斜面及び少なくとも一つの平面を含むことができるが、第２のリフレクタ３００の平面は第１のリフレクタ２００に対して平行な面であり得る。
【００５１】
また、第２のリフレクタ３００は、少なくとも一つの変曲点を有する少なくとも２個の傾斜面を含み、変曲点を中心に隣接する第１及び第２の傾斜面の曲率は互いに異なり得る。
【００５２】
そして、第３のリフレクタ４００は、光源モジュール１００の各光源１１０の間に配置することができる。
【００５３】
ここで、第３のリフレクタ４００は、反射コーティングフィルム及び反射コーティング物質層のうちいずれか一つで形成され、光源モジュール１００から生成された光を第２のリフレクタ３００の中央領域にガイド（案内）することができる。
【００５４】
すなわち、第３のリフレクタ４００は、光源モジュール１００から遠い領域の輝度を補償できるように光をガイドする役割をすることができる。
【００５５】
第３のリフレクタ４００は、第１のリフレクタ２００と第２のリフレクタ３００から一定間隔だけ離隔するように配置したり、又は第１のリフレクタ２００と第２のリフレクタ３００に同時に接触するように配置することもできる。
【００５６】
また、第３のリフレクタ４００は、第１のリフレクタ２００に接触すると同時に第２のリフレクタ３００から一定間隔だけ離隔するように配置したり、又は第２のリフレクタ３００に接触すると同時に第１のリフレクタ２００から一定間隔だけ離隔するように配置することもできる。
【００５７】
図２Ａ〜図２Ｃは、第３のリフレクタと第１及び第２のリフレクタとの間の距離関係を示す図である。
【００５８】
図２Ａは、第１のリフレクタ２００と第２のリフレクタ３００から一定間隔だけ離隔して配置される第３のリフレクタ４００を示す図で、図２Ｂは、第１のリフレクタ２００に接触すると同時に第２のリフレクタ３００から一定間隔だけ離隔するように配置される第３のリフレクタ４００を示す図で、図２Ｃは、第１のリフレクタ２００と第２のリフレクタ３００に同時に接触する第３のリフレクタ４００を示す図である。
【００５９】
図２Ａに示すように、第３のリフレクタ４００は、光源モジュール１００の回路基板１２０から突出し、各光源１１０の間に位置することができる。
【００６０】
そして、第３のリフレクタ４００は、第１のリフレクタ２００から第１の距離ｄ１だけ離隔し、第２のリフレクタ３００から第２の距離ｄ２だけ離隔することができる。
【００６１】
ここで、第１の距離ｄ１と第２の距離ｄ２は互いに同一であってもよく、又は互いに異なってもよい。
【００６２】
一例として、第１の距離ｄ１は、第２の距離ｄ２よりも小さい場合もある。
【００６３】
その理由は、第１の距離ｄ１が第２の距離ｄ２より大きい場合、ホットスポット（ｈｏｔ  ｓｐｏｔ）現象が表れる可能性があるためである。
【００６４】
そして、図２Ｂに示すように、第３のリフレクタ４００は、第１のリフレクタ２００に接触し、第２のリフレクタ３００から距離ｄだけ離隔することができる。
【００６５】
ここで、第３のリフレクタ４００は、第１のリフレクタ２００に接触することによってホットスポットを防止し、光源モジュール１００から遠い領域に光を伝送することができる。
【００６６】
そして、図２Ｃに示すように、第３のリフレクタ４００は、第１のリフレクタ２００と第２のリフレクタ３００に接触することができる。
【００６７】
ここで、第２のリフレクタ３００と接触する第３のリフレクタ４００の下部面は、第２のリフレクタ３００の傾斜面と同じ形状の傾斜面を有することができる。
【００６８】
このように、第３のリフレクタ４００は、光源モジュール１００の回路基板１２０から一定長さだけ突出形成することができる。
【００６９】
すなわち、第３のリフレクタ４００の長さは、図２Ａ〜図２Ｃに示すように、第１のリフレクタ２００と重畳されるように構成されるが、第１のリフレクタ２００の長さより小さい場合もある。
【００７０】
場合によって、第３のリフレクタ４００の長さは、第１のリフレクタ２００の長さより大きいか、それと同じであってもよい。
【００７１】
図３Ａ〜図３Ｃは、第２のリフレクタから離隔した第３のリフレクタと第１のリフレクタの長さを比較して示した図である。
【００７２】
図３Ａ、図３Ｂ及び図３Ｃは、第３のリフレクタ４００の長さが第１のリフレクタ２００と重畳される程度を示す図である。
【００７３】
図３Ａに示すように、第３のリフレクタ４００は、光源モジュール１００の回路基板１２０から突出し、各光源１１０の間に位置することができる。
【００７４】
そして、第３のリフレクタ４００は、光源モジュール１００の回路基板１２０から長さＬ２だけ突出し、第１のリフレクタ２００に重畳され得る。
【００７５】
ここで、第３のリフレクタ４００の長さＬ２は、第１のリフレクタ２００の長さＬ１より小さい。
【００７６】
すなわち、第３のリフレクタ４００のエッジ領域Ｅ２は、第１のリフレクタ２００のエッジ領域Ｅ１から一定間隔を有する第１のリフレクタ２００の下部表面に位置することができる。
【００７７】
そして、図３Ｂに示すように、第３のリフレクタ４００は、光源モジュール１００の回路基板１２０から長さＬ２だけ突出し、第１のリフレクタ２００に重畳され得る。
【００７８】
ここで、第３のリフレクタ４００の長さＬ２は、第１のリフレクタ２００の長さＬ１より小さく、第３のリフレクタ４００のエッジ領域Ｅ２と第１のリフレクタ２００のエッジ領域Ｅ１は一直線上に形成することができる。
【００７９】
そして、図３Ｃに示すように、第３のリフレクタ４００は、光源モジュール１００の回路基板１２０から長さＬ２だけ突出し、一部が第１のリフレクタ２００に重畳され得る。
【００８０】
ここで、第３のリフレクタ４００の長さＬ２は、第１のリフレクタ２００の長さＬ１と同じか、又は第１のリフレクタ２００の長さＬ１より大きい。
【００８１】
すなわち、第１のリフレクタ２００のエッジ領域Ｅ１は、第３のリフレクタ４００のエッジ領域Ｅ２から一定間隔を有するように形成することができる。
【００８２】
このように、第２のリフレクタ３００から離隔して配置される第３のリフレクタ４００は、多様な長さに形成することができる。
【００８３】
また、第３のリフレクタ４００は、第２のリフレクタ３００に接触するように形成することもできるが、第２のリフレクタ３００に接触する第３のリフレクタ４００も多様な長さに形成することができる。
【００８４】
図４Ａ、図４Ｂ及び図４Ｃは、第２のリフレクタに接触する第３のリフレクタと第１のリフレクタの長さを比較して示した図である。
【００８５】
図４Ａに示すように、第３のリフレクタ４００は、第２のリフレクタ３００に接触するように形成され、光源モジュール１００の回路基板から長さＬ２だけ突出し、第１のリフレクタ２００に重畳され得る。
【００８６】
ここで、第３のリフレクタ４００の長さＬ２は、第１のリフレクタ２００の長さＬ１より小さい。
【００８７】
すなわち、第３のリフレクタ４００のエッジ領域Ｅ２は、第１のリフレクタ２００のエッジ領域Ｅ１から一定間隔を有する第１のリフレクタ２００の下部表面に位置することができる。
【００８８】
そして、図４Ｂに示すように、第３のリフレクタ４００は、光源モジュール１００の回路基板１２０から長さＬ２だけ突出し、第１のリフレクタ２００に重畳され得る。
【００８９】
ここで、第３のリフレクタ４００の長さＬ２は、第１のリフレクタ２００の長さＬ１より小さく、第３のリフレクタ４００のエッジ領域Ｅ２と第１のリフレクタ２００のエッジ領域Ｅ１は一直線上に形成することができる。
【００９０】
そして、図４Ｃに示すように、第３のリフレクタ４００は、光源モジュール１００の回路基板１２０から長さＬ２だけ突出し、一部が第１のリフレクタ２００に重畳され得る。
【００９１】
ここで、第３のリフレクタ４００の長さＬ２は、第１のリフレクタ２００の長さＬ１と同一であるか、又は第１のリフレクタ２００の長さＬ１より大きい。
【００９２】
すなわち、第１のリフレクタ２００のエッジ領域Ｅ１は、第３のリフレクタ４００のエッジ領域Ｅ２から一定間隔を有する第３のリフレクタ４００の上部表面に位置することができる。
【００９３】
このように、第３のリフレクタ４００は、第２のリフレクタ３００と接触するように、下部面の形状が第２のリフレクタ３００の表面形状と同一である。
【００９４】
そして、互いに隣接する第３のリフレクタ４００の間には、一つ又は多数の光源を配置することもできる。
【００９５】
図５Ａ〜図５Ｃは、各第３のリフレクタの間に配置される光源を示す図である。
【００９６】
図５Ａは、互いに隣接する各第３のリフレクタ４００の間に一つの光源１１０が配置される場合を示す図で、図５Ｂは、互いに隣接する各第３のリフレクタ４００の間に二つの光源１１０が配置される場合を示す図で、図５Ｃは、互いに隣接する各第３のリフレクタ４００の間に三つの光源１１０が配置される場合を示す図である。
【００９７】
図５Ａ〜図５Ｃに示すように、第３のリフレクタ４００は、光源モジュール１００の回路基板１２０から突出し、各光源１１０の間に位置することができる。
【００９８】
そして、互いに隣接する各第３のリフレクタ４００の間には、図５Ａに示すように一つの光源１１０を配置することもでき、図５Ｂ及び図５Ｃに示すように多数の光源１１０を配置することもできる。
【００９９】
場合によって、互いに隣接する各第３のリフレクタ４００の間に配置される光源１１０の数は一定でないこともある。
【０１００】
例えば、一対の第３のリフレクタ４００の間には１個の光源１１０を配置し、他の一対の第３のリフレクタ４００の間には２個の光源１１０を配置することもできる。
【０１０１】
このように、いずれか一対の第３のリフレクタ４００の間に配置される光源１１０の数は、他の一対の第３のリフレクタ４００の間に配置される光源１１０の数と異なり得る。
【０１０２】
また、互いに隣接する各第３のリフレクタ４００の間には、一つ又は多数の光源モジュール１００を配置することもできる。
【０１０３】
すなわち、第３のリフレクタ４００は、光源モジュール１００の回路基板１２０によって固定することもできるが、外部の支持フレームによって固定することもできる。
【０１０４】
図６Ａ〜図６Ｃは、各第３のリフレクタの間に配置される光源モジュールを示す図である。
【０１０５】
図６Ａは、互いに隣接する各第３のリフレクタ４００の間に一つの光源１１０を含む光源モジュール１００が配置される場合を示す図で、図６Ｂは、互いに隣接する各第３のリフレクタ４００の間に二つの光源１１０を含む光源モジュール１００が配置される場合を示す図で、図６Ｃは、互いに隣接する各第３のリフレクタ４００の間に三つの光源１１０を含む光源モジュール１００が配置される場合を示す図である。
【０１０６】
図６Ａ〜図６Ｃに示すように、第３のリフレクタ４００は、外部の支持フレーム（図示せず）によって固定され、外部の支持フレームから突出し、各光源モジュール１００の間に位置することができる。
【０１０７】
そして、互いに隣接する各第３のリフレクタ４００の間には、図６Ａに示すように一つの光源１１０を含む光源モジュール１００を配置することもでき、図６Ｂ及び図６Ｃに示すように、多数の光源１１０を含む光源モジュール１００を配置することもできる。
【０１０８】
場合によって、互いに隣接する各第３のリフレクタ４００の間に配置される光源モジュール１００の光源１１０の数は一定でないこともある。
【０１０９】
例えば、一対の第３のリフレクタ４００の間には１個の光源１１０を有する光源モジュール１００を配置し、他の一対の第３のリフレクタ４００の間には２個の光源１１０を有する光源モジュール１００を配置することもできる。
【０１１０】
このように、第３のリフレクタ４００は、外部の支持フレームによって固定することができ、各第３のリフレクタ４００の間には光源モジュール１００を配置することができる。
【０１１１】
そして、いずれか一対の第３のリフレクタ４００の間に配置される光源モジュール１００の光源１１０の数は、他の一対の第３のリフレクタ４００の間に配置される光源モジュール１００の光源１１０の数と異なり得る。
【０１１２】
また、第３のリフレクタ４００は、光源モジュール１００の回路基板１２０によって固定されるとき、光源１１０から一定間隔だけ離隔するように配置することもでき、光源１１０に接触するように配置することもできる。
【０１１３】
図７Ａ及び図７Ｂは、第３のリフレクタと光源との間の距離関係を示す図である。
【０１１４】
図７Ａは、第３のリフレクタ４００が光源１１０から間隔ｄ１１だけ離隔して配置される場合を示す図で、図７Ｂは、第３のリフレクタ４００が光源１１０に接触して配置される場合を示す図である。
【０１１５】
図７Ａに示すように、第３のリフレクタ４００は、光源モジュール１００の回路基板１２０によって固定され、互いに隣接する各第３のリフレクタ４００の間には光源モジュール１００の光源１１０を配置することができる。
【０１１６】
ここで、第３のリフレクタ４００は、光源１１０から一定間隔ｄ１１だけ離隔するように配置することができる。
【０１１７】
そして、図７Ｂに示すように、第３のリフレクタ４００は、光源１１０に近接するように配置したり、又は接触するように配置することができる。
【０１１８】
ここで、互いに隣接する各光源１１０の間には、一つ又は多数の第３のリフレクタ４００を配置することもできる。
【０１１９】
このように、第３のリフレクタ４００と光源１１０との間の間隔を調節する理由は、第３のリフレクタ４００と光源１１０との間の間隔が小さいほど、光源１１０から出射される光の直進性が増加するためである。
【０１２０】
したがって、バックライトユニットの設計にしたがって第３のリフレクタ４００と光源１１０との間の間隔を適宜調節することによって、最適な均一度を有する輝度を提供することができる。
【０１２１】
そして、第３のリフレクタ４００は、光源モジュール１００から遠い領域に光を伝送できるように、光源１１０と対向する側面を多様な形状に加工することもできる。
【０１２２】
図８Ａ〜図８Ｅは、多様な形状の側面を有する第３のリフレクタを示す図である。
【０１２３】
図８Ａは、光源１１０に隣接した領域と光源１１０から遠い領域の厚さが同一である第３のリフレクタを示す図で、図８Ｂ〜図８Ｅは、光源１１０に隣接した領域と光源１１０から遠い領域の厚さが異なる第３のリフレクタを示す図である。
【０１２４】
図８Ａに示すように、第３のリフレクタ４００の側面は、隣接する第３のリフレクタ４００の側面と対向し、互いに平行であり得る。
【０１２５】
そして、第３のリフレクタ４００の厚さｔ０は、光源１１０に隣接した領域と光源１１０から遠い領域の厚さが同一である。
【０１２６】
そして、図８Ｂに示すように、第３のリフレクタ４００の側面４０１は、隣接する第３のリフレクタ４００の側面４０１と対向し、互いに平行でなくてもよい。
【０１２７】
ここで、第３のリフレクタ４００の側面４０１は平らな傾斜面である。
【０１２８】
そして、第３のリフレクタ４００は、光源１１０に隣接した領域の厚さｔ２が光源１１０から遠い領域の厚さｔ１より大きい。
【０１２９】
そして、図８Ｃに示すように、第３のリフレクタ４００の側面４０１は、隣接する第３のリフレクタ４００の側面４０１と対向し、互いに平行でなくてもよい。
【０１３０】
ここで、第３のリフレクタ４００の側面４０１は凹状の傾斜面である。
【０１３１】
そして、第３のリフレクタ４００の厚さは、光源１１０に隣接した領域から光源１１０から遠い領域に行くほど漸次減少する。
【０１３２】
そして、図８Ｄに示すように、第３のリフレクタ４００の側面４０１は、隣接する第３のリフレクタ４００の側面４０１と対向し、互いに平行でなくてもよい。
【０１３３】
ここで、第３のリフレクタ４００の側面４０１は凸状の傾斜面である。
【０１３４】
そして、第３のリフレクタ４００の厚さは、光源１１０に隣接した領域から光源１１０から遠い領域に行くほど漸次減少する。
【０１３５】
そして、図８Ｅに示すように、第３のリフレクタ４００の側面４０１は、隣接する第３のリフレクタ４００の側面４０１と対向し、互いに平行でなくてもよい。
【０１３６】
ここで、第３のリフレクタ４００の側面４０１は階段状の表面である。
【０１３７】
そして、第３のリフレクタ４００は、光源１１０に隣接した領域の厚さｔ２が光源から遠い領域の厚さｔ１より大きい。
【０１３８】
また、多数の第３のリフレクタ４００は、全てが同一の長さを有することもでき、各第３のリフレクタ４００のうち一部が異なる長さを有することもできる。
【０１３９】
図９Ａ〜図９Ｃは、多様な長さを有する第３のリフレクタを示す図である。
【０１４０】
図９Ａは、光源モジュール１００の縁部領域に位置する第３のリフレクタ４００と光源モジュール１００の中央領域に位置する第３のリフレクタ４００の長さがいずれも同一である場合を示す図で、図９Ｂは、光源モジュール１００の縁部領域に位置する第３のリフレクタ４００と光源モジュール１００の中央領域に位置する第３のリフレクタ４００の長さが異なる場合を示す図で、図９Ｃは、光源モジュール１００の縁部領域に位置する第３のリフレクタ４００から光源モジュール１００の中央領域に位置する第３のリフレクタ４００に行くほど長さが減少する場合を示す図である。
【０１４１】
図９Ａに示すように、多数の第３のリフレクタ４００は、光源モジュール１００の回路基板１２０によって固定され、長さＬ１１だけ突出するように配置することができる。
【０１４２】
ここで、全ての第３のリフレクタ４００の長さは同一である。
【０１４３】
すなわち、光源モジュール１００の縁部領域に位置する第３のリフレクタ４００と光源モジュール１００の中央領域に位置する第３のリフレクタ４００の長さが全て同一である。
【０１４４】
そして、図９Ｂに示すように、光源モジュール１００の縁部領域に位置する第３のリフレクタ４００は、回路基板１２０から長さＬ１１だけ突出するように配置し、光源モジュール１００の中央領域に位置する第３のリフレクタ４００は、回路基板１２０から長さＬ１２だけ突出するように配置することができる。
【０１４５】
ここで、光源モジュール１００の縁部領域に位置する第３のリフレクタ４００の長さＬ１１は、光源モジュール１００の中央領域に位置する第３のリフレクタ４００の長さＬ１２より長い。
【０１４６】
その理由は、バックライトユニットの縁部領域での光の損失を減少させ、バックライトユニットの中央領域に光を集中させて弱い輝度を補償することによって、全体的に均一な輝度を提供できるためである。
【０１４７】
そして、図９Ｃに示すように、光源モジュール１００の縁部領域に位置する第３のリフレクタ４００は、回路基板１２０から長さＬ１１だけ突出するように配置し、光源モジュール１００の中央領域に位置する第３のリフレクタ４００は、回路基板１２０から長さＬ１４だけ突出するように配置し、それらの間に位置する第３のリフレクタ４００は、回路基板１２０から長さＬ１２、Ｌ１３だけ突出するように配置することができる。
【０１４８】
ここで、光源モジュール１００の縁部領域に位置する第３のリフレクタ４００から光源モジュール１００の中央領域に位置する第３のリフレクタ４００に行くほど、第３のリフレクタ４００の長さが漸次減少する。
【０１４９】
その理由は、バックライトユニットの縁部領域での光の損失を減少させ、バックライトユニットの中央領域に光を集中させて弱い輝度を補償することによって、全体的に均一な輝度を提供できるためである。
【０１５０】
また、第３のリフレクタ４００は、側面に多様な反射パターンを有することもできる。
【０１５１】
図１０Ａ〜図１０Ｄは、多様な反射パターンを有する第３のリフレクタを示す図である。
【０１５２】
図１０Ａは、反射パターン４８０が鋸歯形状で、反射パターン４８０の表面は平面である場合を示し、図１０Ｂ及び図１０Ｃは、反射パターン４８０が鋸歯形状で、反射パターン４８０の表面は曲面である場合を示す。
【０１５３】
ここで、図１０Ｂによると、反射パターン４８０の表面は凹状の曲面で、図１０Ｃによると、反射パターン４８０の表面は凸状の曲面である。
【０１５４】
場合によって、図１０Ｄに示すように、反射パターン４８０の大きさが第３のリフレクタ４００の一端から他端に行くほど漸次大きくなる。
【０１５５】
このように、第３のリフレクタ４００上に反射パターン４８０を形成する理由は、光の反射のみならず、光を均一に拡散させる拡散効果も達成できるためである。
【０１５６】
したがって、このような反射パターン４８０は、バックライトの全体の輝度分布にしたがって、該当の領域に多様な大きさに製作することができる。
【０１５７】
一方、第３のリフレクタには、射出可能な材料を使用してボディーを製作し、ミラー面を加工することもでき、ボディー上に反射層や反射シートを形成することもできる。
【０１５８】
図１１は、ミラー面を有する第３のリフレクタを示す図である。
【０１５９】
図１１に示すように、第３のリフレクタ４００は、光源１１０と対向する表面をミラー面に製作することができる。
【０１６０】
ここで、第３のリフレクタ４００のボディーは、射出加工が可能な高分子樹脂で製作することもでき、金属や金属酸化物で製作することもできる。
【０１６１】
そして、第３のリフレクタ４００のミラー面は、研磨などの加工を通して製作することができ、約６０〜９９％の反射率を有することができる。
【０１６２】
図１２Ａ〜図１２Ｄは、反射部材を有する第３のリフレクタを示す図である。
【０１６３】
図１２Ａ及び図１２Ｂは、第３のリフレクタ４００の全体の表面に反射部材４９０が形成されたことを示す図であって、図１２Ａは、反射部材の全体の反射率が一定である場合を示す図で、図１２Ｂは、反射部材の全体の反射率が一定でない場合を示す図である。
【０１６４】
図１２Ａ及び図１２Ｂに示すように、反射部材４９０は、フィルム又はシート状に製作し、第３のリフレクタ４００のボディー上に接着して形成することもでき、反射物質を第３のリフレクタ４００のボディー上に蒸着又はコーティングして形成することもでき、反射物質をインク形態で印刷して形成することもできる。
【０１６５】
ここで、蒸着方法としては、熱蒸着法、蒸発法又はスパッタリング法などの真空蒸着法を使用することができ、コーティング又は印刷方法としては、プリンティング法、グラビアコーティング法又はシルクスクリーン法を使用することができる。
【０１６６】
そして、反射部材４９０は、金属又は金属酸化物のうち少なくとも一つを含むことができ、例えば、アルミニウム（Ａｌ）、銀（Ａｇ）、金（Ａｕ）又は二酸化チタニウム（ＴｉＯ２）のように高い反射率を有する金属又は金属酸化物を含んで構成することができる。
【０１６７】
第３のリフレクタ４００は、図１２Ａに示すように、全体の領域が同一の反射率を有するように、一つの反射率を有する反射部材４９０を含むことができ、図１２Ｂに示すように、一部の領域が異なる反射率を有するように、反射率が互いに異なる第１及び第２の反射部材４９０ａ、４９０ｂを含むこともできる。
【０１６８】
ここで、光源１１０に隣接した第１の反射部材４９０ａは、第２の反射部材４９０ｂより高い反射率を有することができる。
【０１６９】
その理由は、前記のようにすると、光源１１０から出射された光を光源１１０からより遠い領域に伝送できるためである。
【０１７０】
図１２Ｃ及び図１２Ｄは、第３のリフレクタ４００の一部の表面に反射部材４９０が形成されたことを示す図であって、図１２Ｃは、第３のリフレクタ４００の表面上に反射部材が形成された場合を示す図で、図１２Ｄは、第３のリフレクタ４００の溝内に反射部材が形成された場合を示す図である。
【０１７１】
図１２Ｃ及び図１２Ｄに示すように、反射部材４９０は、第３のリフレクタ４００の一部の領域のみに形成することもできる。
【０１７２】
ここで、反射部材４９０は、図１２Ｃに示すように、第３のリフレクタ４００の一部の表面上に突出するように形成することもでき、図１２Ｄに示すように、第３のリフレクタ４００の一部の表面に溝を形成し、その溝内に反射部材４９０を充填することもできる。
【０１７３】
また、第３のリフレクタ４００は、正反射領域及び乱反射領域を含むこともできる。
【０１７４】
図１３Ａ及び図１３Ｂは、正反射領域及び乱反射領域を含む第３のリフレクタを示す図であって、図１３Ａは平面図で、図１３Ｂは断面図である。
【０１７５】
図１３Ａ及び図１３Ｂに示すように、第３のリフレクタ４００は、正反射領域４５０及び乱反射領域４６０を含むことができる。
【０１７６】
ここで、正反射領域４５０は、入射される光を正反射させる役割をし、乱反射領域４６０は、入射される光を乱反射させる役割をすることができる。
【０１７７】
このとき、正反射領域４５０は光源１１０に隣接するように配置し、乱反射領域４６０は光源１１０から遠い領域に配置することができる。
【０１７８】
その理由は、第３のリフレクタ４００の正反射領域４５０は光源１１０から出射された光を光源１１０からより遠い領域に伝送することができ、第３のリフレクタ４００の乱反射領域４６０は光を拡散させて均一な輝度を提供できるためである。
【０１７９】
このように、第３のリフレクタ４００の正反射領域４５０及び乱反射領域４６０は、第３のリフレクタの表面を研磨加工したり、又は反射部材を形成することによって製作することができる。
【０１８０】
また、第３のリフレクタ４００は、不透過領域及び透過領域を含むこともできる。
【０１８１】
図１４Ａ及び図１４Ｂは、不透過領域及び透過領域を含む第３のリフレクタを示す図であって、図１４Ａは平面図で、図１４Ｂは断面図である。
【０１８２】
図１４Ａ及び図１４Ｂに示すように、第３のリフレクタ４００は、不透過領域４１０及び透過領域４２０を含むことができる。
【０１８３】
ここで、不透過領域４１０は、入射される光を反射させる役割をし、透過領域４２０は、入射される光の一部を反射させ、一部を透過及び屈折させる役割をすることができる。
【０１８４】
このとき、不透過領域４１０は、光源１１０に隣接するように配置し、透過領域４２０は光源１１０から遠い領域に配置することができる。
【０１８５】
その理由は、第３のリフレクタ４００の不透過領域４１０は光源１１０から出射された光を光源１１０からより遠い領域に伝送することができ、第３のリフレクタ４００の透過領域４２０は光の一部を反射させ、一部を透過及び屈折させて均一な輝度を提供できるためである。
【０１８６】
このように、第３のリフレクタ４００の不透過領域４１０及び透過領域４２０は、不透明物質や透明物質を使用して製作することもでき、透明物質のボディーに不透明反射部材を付着して形成することもできる。
【０１８７】
一方、第３のリフレクタは多様な形状に製作することもできる。
【０１８８】
図１５は、オープン形状を有する第３のリフレクタを示す図で、図１６は、クローズ形状を有する第３のリフレクタを示す図である。
【０１８９】
図１５に示すように、第３のリフレクタ４００は、光源モジュール１００の光源１１０の周辺を覆い、第２のリフレクタ３００と対向する領域がオープン形状を有することができる。
【０１９０】
第３のリフレクタ４００は、第１、第２及び第３のセグメント４００ａ、４００ｂ、４００ｃを含むことができる。
【０１９１】
ここで、第１及び第２のセグメント４００ａ、４００ｂは光源１１０の両側に配置し、第３のセグメント４００ｃは、第１及び第２のセグメント４００ａ、４００ｂに連結し、第１のリフレクタ２００と光源１１０との間に配置することができる。
【０１９２】
このとき、第３のセグメント４００ｃは、一部が第１のリフレクタ２００と接触することもできる。
【０１９３】
そして、図１６に示すように、第３のリフレクタ４００は、光源モジュール１００の光源１１０の周囲を覆うように、クローズ形状として円状や多角形状を有することができる。
【０１９４】
一方、第２のリフレクタ３００は、少なくとも一つの傾斜面及び少なくとも一つの平面を含むことができる。
【０１９５】
ここで、第２のリフレクタ３００の傾斜面は、第１のリフレクタ２００に対して一定角度だけ傾斜した面で、第２のリフレクタ３００の平面は第１のリフレクタ２００に対して平行な面である。
【０１９６】
そして、第２のリフレクタ３００の傾斜面は、光源１１０及び第１のリフレクタ２００のうち少なくともいずれか一つと重畳され得る。
【０１９７】
図１７Ａ〜図１７Ｃは、傾斜面及び平面を含む第２のリフレクタを示す図である。
【０１９８】
第２のリフレクタ３００は、図１７Ａに示すように傾斜面が平らな表面を有し、図１７Ｂに示すように傾斜面が凹状の曲面を有し、図１７Ｃに示すように傾斜面が凸状の曲面を有することができる。
【０１９９】
ここで、第３のリフレクタ４００は、第２のリフレクタ３００の傾斜面に重畳され得る。
【０２００】
一方、第２のリフレクタ３００は、少なくとも一つの変曲点を有する少なくとも２個の傾斜面を含み、変曲点を中心に隣接する第１及び第２の傾斜面の曲率は互いに異なることもある。
【０２０１】
図１８Ａ〜図１８Ｃは、多数の傾斜面を含む第２のリフレクタを示す図である。
【０２０２】
図１８Ａは、互いに隣接する二つの傾斜面が平らな表面を有し、二つの傾斜面の傾きが互いに異なる場合を示し、図１８Ｂは、互いに隣接する二つの傾斜面が凹状の曲面を有し、二つの傾斜面の曲率がお互いに異なる場合を示し、図１８Ｃは、互いに隣接する二つの傾斜面が凸状の曲面を有し、二つの傾斜面の曲率が互いに異なる場合を示す。
【０２０３】
ここで、第３のリフレクタ４００は、第２のリフレクタ３００の傾斜面に重畳され得る。
【０２０４】
このように、第２のリフレクタ３００の傾斜面は、凹面、凸面及び平面のうち少なくともいずれか一つである。
【０２０５】
そして、第２のリフレクタ３００は、正反射領域及び乱反射領域を含むこともできる。
【０２０６】
ここで、正反射領域は、入射される光を正反射させる役割をし、乱反射領域は、入射される光を乱反射させる役割をすることができ、正反射領域と乱反射領域の光反射率は約５０〜９９.９９％である。
【０２０７】
そして、第２のリフレクタ３００の傾斜面は、全体の領域が正反射領域であってもよく、又は一部の領域のみが正反射領域であってもよい。
【０２０８】
図１９は、正反射領域及び乱反射領域を含む第２のリフレクタを示す図である。
【０２０９】
図１９に示すように、第２のリフレクタ３００は、光源モジュール１００に隣接する正反射領域と、光源モジュール１００から離隔した乱反射領域とを含むことができる。
【０２１０】
正反射領域３００ａは、第２のリフレクタ３００の全体の領域のうち約５〜５０％を占めることができる。
【０２１１】
場合によって、第２のリフレクタ３００において、正反射領域３００ａは第２のリフレクタ３００の全体の領域のうち約２０〜３０％を占めることもできる。
【０２１２】
また、第２のリフレクタ３００において、正反射領域３００ａと乱反射領域３００ｂの面積比率は１：１〜１：２０であってもよい。
【０２１３】
このように、第２のリフレクタ３００の正反射領域３００ａと乱反射領域３００ｂの面積比率を定める理由は、光源１１０に隣接した領域と光源１１０から遠く離隔した領域との輝度差を減少させるためである。
【０２１４】
すなわち、第２のリフレクタ３００は、正反射領域３００ａと乱反射領域３００ｂの面積比率を適宜調節することによって、全体的に均一な輝度を提供することができる。
【０２１５】
ここで、第２のリフレクタ３００は、アルミニウム（Ａｌ）、銀（Ａｇ）、金（Ａｕ）、二酸化チタニウム（ＴｉＯ２）などのように高い反射率を有する金属又は金属酸化物を含んで構成することができるが、第２のリフレクタ３００は、正反射領域３００ａと乱反射領域３００ｂに形成される物質が互いに異なることもあり、正反射領域３００ａと乱反射領域３００ｂの表面粗さが互いに異なることもある。
【０２１６】
すなわち、第２のリフレクタ３００において、正反射領域３００ａと乱反射領域３００ｂは、同一の物質で形成されると同時に、表面粗さが互いに異なり得る。
【０２１７】
また、第２のリフレクタ３００において、正反射領域３００ａと乱反射領域３００ｂが互いに異なる物質で形成されると同時に、表面粗さが互いに異なり得る。
【０２１８】
そして、光源１１０、第１及び第３のリフレクタ２００、４００のうち少なくともいずれか一つは正反射領域３００ａと重畳され得る。
【０２１９】
すなわち、第１及び第２のリフレクタ２００、４００のうち少なくともいずれか一つは、第２のリフレクタ３００の正反射領域３００ａに一部のみが重畳されてもよく、完全に重畳されてもよい。
【０２２０】
第２のリフレクタ３００の正反射領域３００ａは、光源モジュール１００に隣接して位置し、光源１１０から出射された光を第２のリフレクタ３００の中央領域に反射させる役割をする。そして、第２のリフレクタ３００の乱反射領域３００ｂは、第２のリフレクタ３００の中央領域に位置し、入射される光を拡散させる役割をすることができる。
【０２２１】
一方、第２のリフレクタは、光源モジュール及び第３のリフレクタの配置によって多様な形状に製作することができる。
【０２２２】
図２０Ａは、１エッジタイプの第２のリフレクタを示す図で、図２０Ｂは、２エッジタイプの第２のリフレクタを示す図で、図２０Ｃ及び図２０Ｄは、４エッジタイプの第２のリフレクタを示す図である。
【０２２３】
図２０Ａは、１エッジタイプの第２のリフレクタを示す平面図であって、図２０Ａに示すように、１エッジタイプの第２のリフレクタ３００の一側に光源モジュール１００を配置し、第３のリフレクタ４００は、光源モジュール１００の各光源１１０の間に配置することができる。
【０２２４】
そして、図２０Ｂは、２エッジタイプの第２のリフレクタを示す平面図であって、図２０Ｂに示すように、２エッジタイプの第２のリフレクタ３００の両側に光源モジュール１００を配置し、第３のリフレクタ４００は、光源モジュール１００の各光源１１０の間に配置することができる。
【０２２５】
そして、図２０Ｃは、４エッジタイプの第２のリフレクタを示す平面図であって、図２０Ｃに示すように、４エッジタイプの第２のリフレクタ３００は、４側面に光源モジュール１００を配置し、第３のリフレクタ４００は、光源モジュール１００の各光源１１０の間に配置することができる。
【０２２６】
そして、図２０Ｄは、４エッジタイプの第２のリフレクタを示す平面図であって、図２０Ｄに示すように、４エッジタイプの第２のリフレクタ３００は、４つのコーナー領域に光源モジュール１００を配置し、第３のリフレクタ４００は、光源モジュール１００の各光源１１０の間に配置することができる。
【０２２７】
また、実施例に係るバックライトユニットは、第２のリフレクタから一定間隔だけ空間を置いて配置される光学部材をさらに含むことができ、第２のリフレクタと光学部材との間の空間にはエアガイドを形成することができる。
【０２２８】
図２１は、光学部材を含むバックライトユニットを示す図で、図２２は、光学部材の形状の一例を示す図である。
【０２２９】
図２１に示すように、光学部材６００は、第１のリフレクタ２００のオープン領域に配置され、上部表面に凹凸パターン６２０を有することができる。
【０２３０】
ここで、光学部材６００は、第１のリフレクタ２００のオープン領域を通して出射される光を拡散させるためのもので、拡散効果を増加させるために光学部材６００の上部表面に凹凸パターン６２０を形成することができる。
【０２３１】
凹凸パターン６２０は、図２２に示すように、光源モジュール１００に沿って配置されるストライプ形状を有することができる。
【０２３２】
このとき、凹凸パターン６２０は、光学部材６００の表面に突出部を有し、突出部は、互いに対向する第１の面及び第２の面で構成され、第１の面と第２の面との間の角は鈍角又は鋭角である。
【０２３３】
場合によって、光学部材６００は、少なくとも一つのシートからなるが、拡散シート、プリズムシート、輝度強化シートなどを選択的に含むことができる。
【０２３４】
ここで、拡散シートは、光源から出射された光を拡散させ、プリズムシートは、拡散された光を発光領域にガイド（案内）し、輝度拡散シートは輝度を強化させる。
【０２３５】
このように、バックライトユニットは、光源モジュールの各光源の間に第３のリフレクタを追加的に配置することによって、輝度を向上させ、均一な輝度を提供することができる。
【０２３６】
一方、本実施例は、光源モジュールの光出射面を多様な方向に配置することもできる。
【０２３７】
すなわち、光源モジュールは、光出射面が光学部材と第２のリフレクタとの間のエアガイドの方向に向かうように配置された直接出射型構造であってもよく、光出射面が第１のリフレクタ、第２のリフレクタ及びカバープレートの方向のうちいずれか一つの方向に向かうように配置される間接出射型構造であってもよい。
【０２３８】
ここで、間接出射型光源モジュールの場合、出射された光が第１のリフレクタ、第２のリフレクタ及びカバープレートに反射され、反射された光は、再びバックライトユニットのエアガイドの方向に進むことができる。
【０２３９】
このように、光源モジュールを間接出射型構造で配置する理由は、ホットスポット現象を減少できるためである。
【０２４０】
また、第２のリフレクタの下部面に多数の補強リブを配置することができる。
【０２４１】
図２３は、第２のリフレクタの下部面に形成された補強リブを示す図で、図２３に示すように、第２のリフレクタの下部面に多数の補強リブ３５０を配置することができる。
【０２４２】
すなわち、第２のリフレクタが曲面を有する反射面を有し、これが外部環境条件によって変形するおそれがあるので、これを防止するために補強リブ３５０を設置することができる。
【０２４３】
補強リブ３５０は、第２のリフレクタの傾斜面と対向する後面に配置するだけでなく、第２のリフレクタの側面と対向する後面にも配置することができる。
【０２４４】
そして、第２のリフレクタの上部面には、光学部材を支持する各支持ピンを形成することもできる。
【０２４５】
図２４は、第２のリフレクタの上部面に形成された支持ピンを示す図で、図２４に示すように、第２のリフレクタ３００の上部面には、光学部材を支持する各支持ピン３６０を形成することもできる。
【０２４６】
その理由は、光学部材が第２のリフレクタ３００から離隔し、その間にエアガイドが形成されるので、光学部材の中心領域が下部に垂れるおそれがあるためである。
【０２４７】
ここで、支持ピン３６０は、第２のリフレクタ３００に接触する下部面の面積が上部面の面積より広く形成されることが安定的である。
【０２４８】
一方、第２のリフレクタの傾斜面の下部には、光源モジュールを駆動させるための各回路装置を配置することができる。
【０２４９】
第２のリフレクタの後面における各傾斜面の間に所定の空間が形成されるので、該当の空間に各回路装置を配置すると、空間を効率的に利用することができる。
【０２５０】
図２５は、実施例に係るバックライトユニットを有するディスプレイモジュールを示す図である。
【０２５１】
図２５に示すように、ディスプレイモジュール２０は、ディスプレイパネル８００及びバックライトユニット７００を含むことができる。
【０２５２】
ディスプレイパネル８００は、互いに対向し、均一なセルギャップが維持されるように合着されたカラーフィルタ基板８１０及びＴＦＴ（Ｔｈｉｎ  Ｆｉｌｍ  Ｔｒａｎｓｉｓｔｏｒ）基板８２０を含み、前記二つの基板８１０、８２０の間に液晶層（図示せず）が介在し得る。
【０２５３】
そして、ディスプレイパネル８００の上側及び下側には、それぞれ上部偏光板８３０及び下部偏光板８４０を配置することができる。より詳細には、カラーフィルタ基板８１０の上面に上部偏光板８３０を配置し、ＴＦＴ基板８２０の下面に下部偏光板８４０を配置することができる。
【０２５４】
図示していないが、ディスプレイパネル８００の側面には、パネル８００を駆動させるための駆動信号を生成するゲート及びデータ駆動部を備えることができる。
【０２５５】
図２６及び図２７は、実施例に係るディスプレイ装置を示した図である。
【０２５６】
図２６を参照すると、ディスプレイ装置１は、ディスプレイモジュール２０、ディスプレイモジュール２０を取り囲むフロントカバー３０及びバックカバー３５、バックカバー３５に備えられた駆動部５５、及び駆動部５５を覆う駆動部カバー４０を含んで構成することができる。
【０２５７】
フロントカバー３０は、光を透過させる透明な材質の前面パネル（図示せず）を含むことができ、前面パネルは、一定の間隔を置いてディスプレイモジュール２０を保護し、ディスプレイモジュール２０から放出される光を透過させ、ディスプレイモジュール２０で表示される映像が外部から見えるようにする。
【０２５８】
バックカバー３５は、フロントカバー３０と結合してディスプレイモジュール２０を保護することができる。
【０２５９】
バックカバー３５の一面には駆動部５５を配置することができる。
【０２６０】
駆動部５５は、駆動制御部５５ａ、メインボード５５ｂ及び電源供給部５５ｃを含むことができる。
【０２６１】
駆動制御部５５ａは、タイミングコントローラであってもよく、ディスプレイモジュール２０の各ドライバーＩＣの動作タイミングを調節する駆動部で、メインボード５５ｂは、タイミングコントローラにＶシンク(Sync)、Ｈシンク(Sync)及びＲ、Ｇ、Ｂ解像度信号を伝達する駆動部で、電源供給部５５ｃはディスプレイモジュール２０に電源を印加する駆動部である。
【０２６２】
駆動部５５は、バックカバー３５に備えられ、駆動部カバー４０によって覆うことができる。
【０２６３】
バックカバー３５には、複数のホールが備えられ、ディスプレイモジュール２０と駆動部５５を連結することができる。また、バックカバー３５には、ディスプレイ装置１を支持するスタンド６０を備えることができる。
【０２６４】
一方、図２７に示すように、駆動部５５の駆動制御部５５ａはバックカバー３５に備え、メインボード５５ｂと電源ボード５５ｃはスタンド６０に備えることもできる。
【０２６５】
そして、駆動部カバー４０は、バックカバー３５に備えられた駆動部５５のみを覆うことができる。
【０２６６】
本実施例では、メインボード５５ｂと電源ボード５５ｃをそれぞれ別途に構成したが、これに限定されることはなく、これらは一つの統合ボードからなってもよい。
【０２６７】
一方、光源モジュールはレンズをさらに含むこともできる。
【０２６８】
図２８Ａは、レンズを有するバックライトユニットを示す断面図で、図２８Ｂは、図２８ＡのＡ部分の拡大図である。
【０２６９】
図２８Ａ及び図２８Ｂに示すように、光源モジュール１００は、光源１１０、回路基板１２０及びレンズ１３０を含むことができる。
【０２７０】
レンズ１３０を透過した光は、第２のリフレクタ３００に反射され、光学部材６００に出射され得る。
【０２７１】
ここで、レンズ１３０は、光源１１０から放出される光を散乱させ、その光を第２のリフレクタ３００と光学部材６００の全体の領域にわたって分布させる。
【０２７２】
したがって、レンズ１３０は、光透過率のよい材料からなるが、一例として、ポリメチルメタクリレート（ＰｏｌｙＭｅｔｈｙｌＭｅｔｈＡｃｒｙｌａｔｅ；ＰＭＭＡ）、ポリカーボネート（ＰｏｌｙＣａｒｂｏｎａｔｅ；ＰＣ）、ポリエチレン（ＰｏｌｙＥｔｈｙｌｅｎｅ；ＰＥ）又はレジン射出物からなり得る。
【０２７３】
そして、レンズ１３０は、図示したように、光源１１０から放出された光の入射角が臨界角以上である第１の面１３６と、光源１１０から放出された光の入射角が臨界角未満である第２の面１３８とをそれぞれ少なくとも１個ずつ備えることができる。
【０２７４】
また、レンズ１３０には、第１の面１３６と第２の面１３８を少なくとも２回繰り返して配置することができる。
【０２７５】
このような構造を有するレンズ１３０は、光源１１０から入射された光の一部を透過させ、残りの一部は、レンズ１３０の内部に全反射させた後、再び透過させることができる。
【０２７６】
したがって、レンズ１３０は、光を第２のリフレクタ３００と光学部材６００の方向に均一により遠く分布させることができる。
【０２７７】
以下では、これについて詳細に説明する。
【０２７８】
光学的に密な媒質から疎な媒質に光が進行するとき、臨界角より大きい入射角で入射した光が屈折せずに内部に１００％反射される現象を全反射という。そして、全反射が発生可能な入射角の最小値を臨界角という。
【０２７９】
実施例では、全反射が発生するために、レンズ１３０は、空気より密な物質でなければならなく、屈折率が１以上であり得る。
【０２８０】
そして、光源１１０から放出された光のうちレンズ１３０の第１の面１３６に入射された光とレンズの法線とがなす角度θ１が臨界角θｃより大きいので、前記光はレンズ１３０の内部に全反射される。
【０２８１】
そして、光源１１０から放出された光のうちレンズ１３０の第２の面１３８に入射された光とレンズの法線とがなす角度θ２が臨界角θｃより小さいので、前記光はいずれもレンズ１３０の外部に屈折され、このときの屈折角度はスネルの法則に従う。
【０２８２】
実施例では、各第１の面１３６の間に複数の第２の面１３８ａ、１３８ｂ、１３８ｃが配置されており、前記第１の面１３６と第２の面１３８に入射される光の入射角は、それぞれ臨界角θｃ以上又は未満であるので、光の一部は外部に屈折され、他の一部は内部に全反射される。
【０２８３】
例えば、レンズ１３０がガラスからなり、このレンズ１３０から空気に光が進む場合、臨界角は４２゜で、入射角がこれより大きいと、全ての光がレンズ１３０の内面に反射され、空気側には進まない。
【０２８４】
したがって、前記第１の面１３６と第２の面１３８は、光源１１０から入射される光の入射角が臨界角以上又は未満になるように構成され、レンズ１３０の性能を調節することができる。
【０２８５】
すなわち、レンズ１３０に入射された光は、損失なしに遠くまで伝達することができる。
【０２８６】
そして、第２のリフレクタ３００は、光源モジュール１００から放出された光を面光源形態で出射するように反射させ、光効率を高める役割をする。
【０２８７】
図２９Ａ〜図２９Ｃは、図２８Ａのレンズを有する光源モジュールを示す断面図である。
【０２８８】
図２９Ａと図２９Ｂは、レンズ１３０の上下部が互いに取り替えられた構造である。
【０２８９】
このようなレンズ１３０を含む光源モジュール１００は、光の全反射と光の屈折を通して光をバックライトユニットの遠い位置まで均一に伝達することができる。
【０２９０】
そして、レンズ１３０は、光源１１０から光が入射される光入射部１３５、光伝達部１３１、及び光を外部に放出する第１の面１３６と第２の面１３８からなる。
【０２９１】
また、レンズ１３０の支持部１３２は光源モジュール１００を支持することができ、固定部１３４は、光源モジュール１００に固定され、レンズ１３０と光源モジュール１００とを一体化させる。
【０２９２】
このとき、光源モジュール１００の回路基板１２０は、前記レンズ１３０上に備えられた溝１３３に挿入されて固定されている。
【０２９３】
また、図２９Ｃに示した実施例では、前記レンズ１３０に備えられた溝１３３と前記回路基板１２０とが垂直でないように形成されている。
【０２９４】
このような構成は、光源１１０から放出される光を光学部材６００に平行に投射させず、第２のリフレクタ３００の方向に傾斜するように投射させるためである。
【０２９５】
ここで、回路基板１２０は、光学部材６００に対して直角でないので、鋭角又は鈍角をなすことができる。
【０２９６】
図３０Ａは、レンズを有するバックライトユニットの光分布を示した図で、図３０Ｂは、レンズのないバックライトユニットの光分布を示した図である。
【０２９７】
レンズのないバックライトユニットにおいては、光源１１０から放出された光は、ランバーシアン（Ｌａｍｂｅｒｔｉａｎ）散乱状態をなすが、図３０Ｂに示すように、第２のリフレクタ３００と光学部材６００の全体面に分布できず、光源モジュール１００に近い部分のみに集中し、このような光分布の不均一性は表示装置の輝度の不均一を発生させるおそれがある。
【０２９８】
しかし、レンズ１３０を有するバックライトユニットは、図３０Ａに示すように、光源１１０から放出された光がレンズ１３０の内部での全反射を経て外部に均一に投射されるので、光を第２のリフレクタ３００と光学部材６００の全体に均一に分布させることができる。
【０２９９】
実施例に係るバックライトユニットは、導光板を使用しておらず、レンズ１３０での全反射と屈折によって光をパネルの全面に均一に分布させることができる。
【０３００】
このとき、光源モジュールに近いパネルに投射される光の量が相対的に多い場合があるので、光をパネルの全体に均一に投射させるためには下記のような構成を有することができる。
【０３０１】
図３１Ａ〜図３１Ｆは、図２８Ａの他の実施例を示した図である。
【０３０２】
各実施例に係るバックライトユニットにおいては、拡散シートを含む光学部材６００の内側面の一部分に光反射層１４２又は光散乱層１４４のうち少なくとも一つを配置する。
【０３０３】
このとき、光源モジュール１００に近い光学部材６００において、光反射層１４２又は光散乱層１４４の大きさや密度を調節することができる。
【０３０４】
図３１Ａに示した実施例で、光学部材６００の内側面には光反射層１４２が配置されている。
【０３０５】
ここで、内側面は、第２のリフレクタ３００に向かう方向を意味する。
【０３０６】
前記光反射層１４２は、反射率の高い銀（Ａｇ）やアルミニウム（Ａｌ）などからなり得る。
【０３０７】
実施例では、光反射層１４２は、レンズ１３０に近い場所で最も幅が広く、各光反射層１４２間の間隔も狭い。
【０３０８】
すなわち、レンズ１３０から遠ざかるほど光反射層１４２ａ、１４２ｂ、１４２ｃ、１４２ｄ、１４２ｅ、１４２ｆ、１４２ｇの幅が狭くなり、それぞれの距離が広くなることから、密度が減少するので、光が拡散シート１４０の外部に透過される領域が広くなる。
【０３０９】
したがって、光量が相対的に多いレンズ１３０の隣接領域で光学部材６００の外部に透過される光の量を減少させるので、全体的に光学部材６００の外部に投射される光の量を均一に調節することができる。
【０３１０】
このような構成は、光反射層１４２でない光散乱層１４４の分布を図３１Ａのように配置する場合にも可能である。
【０３１１】
図３１Ｂに示した実施例は、光反射層１４２と光散乱層１４４が共に光学部材６００の内側面に備えられている。
【０３１２】
このとき、光反射層１４２は、図３１Ａに示すように、レンズ１３０から遠ざかるほど光反射層１４２ａ、１４２ｂ、１４２ｃ、１４２ｄ、１４２ｅ、１４２ｆ、１４２ｇの幅が狭くなり、それぞれの距離は広くなる。
【０３１３】
そして、光散乱層１４４は、それぞれの幅と間隔が全て同一に備えられており、一部の光散乱層１４４は光反射層１４２上に備えられ、一部の光散乱層１４４は光学部材６００上に直接備えられている。
【０３１４】
前記光散乱層１４４は、ＴｉＯ２又はＡｌ２Ｏ３からなり得るが、光学部材６００の全体の開口部を遮蔽してはいない。
【０３１５】
実施例では、図３１Ａのような配置を有する光反射層１４２と同一の配置及び密度を有する光散乱層１４４が備えられ、光学部材６００の外部に投射される光の分布を均一にすることができる。
【０３１６】
図３１Ｃに示した実施例においては、図３１Ｂに示した実施例とは異なって、光反射層１４２が一定の幅と間隔で配置され、光散乱層１４４は、レンズ１３０から遠ざかるほど密度が減少するように配置される。
【０３１７】
すなわち、レンズ１３０から遠ざかるほど光反射層１４４ａ、１４４ｂ、１４４ｃ、１４４ｄ、１４４ｅ、１４４ｆの幅が狭くなり、それぞれの距離が広くなることから、密度が減少するので、光が光学部材６００の外部に透過される領域が広くなる。
【０３１８】
図３１Ｄに示した実施例においては、光反射層１４２が複数の層１４２ａ、１４２ｂ、１４２ｃ、１４２ｄ、１４２ｅからなり、レンズ１３０から遠ざかるほど前記光反射層１４２の密度が減少する。
【０３１９】
すなわち、光源モジュール１００から遠ざかるほど、光反射層１４２をなす複数の層１４２ａ、１４２ｂ、１４２ｃ、１４２ｄ、１４２ｅの幅がそれぞれ狭くなり、相互間の間隔がより大きくなるので、光が光学部材６００の外部に透過される領域が広くなる。
【０３２０】
図３１Ｅに示した実施例においては、光散乱層１４４が複数の層１４４ａ、１４４ｂ、１４４ｃ、１４４ｄ、１４４ｅからなり、レンズ１３０から遠ざかるほど前記光散乱層１４４の密度が減少する。
【０３２１】
すなわち、光源モジュール１００から遠ざかるほど、光散乱層１４４をなす複数の層１４４ａ、１４４ｂ、１４４ｃ、１４４ｄ、１４４ｅの幅がそれぞれ狭くなり、相互間の間隔がより大きくなるので、光が光学部材６００の外部に透過される領域が広くなる。
【０３２２】
図３１Ｄと図３１Ｅに示した構成は、光反射層１４２と光散乱層１４４が複数の層からなり、光源モジュール１００から近い距離であるほど、それぞれの光反射層１４２と光散乱層１４４の厚さがより厚くなっている。
【０３２３】
すなわち、光学部材６００全体に光反射層１４２又は光散乱層１４４を形成した後、２回の工程では、光源モジュール１００から最も遠い領域を除いて光反射層１４２又は光散乱層１４４を形成することができ、次の工程では、前記光源モジュール１００により隣接した領域のみに光反射層１４２又は光散乱層１４４を形成することができる。
【０３２４】
したがって、光反射層１４２と光拡散層１４４の幅、間隔及び厚さを通して密度を調節し、それによって光の反射程度を調節することができる。
【０３２５】
図３１Ｆに示した実施例においては、光反射層１４２は同一の幅と間隔で備えられており、光散乱層１４４が複数の層１４４ａ、１４４ｂ、１４４ｃ、１４４ｄ、１４４ｅ、１４４ｆからなり、レンズ１３０から遠ざかるほど前記光散乱層１４４の密度が減少する。
【０３２６】
すなわち、光散乱層１４４の配置は図３１Ｅに示した実施例と類似するが、複数の層からなる光散乱層１４４ａ、１４４ｂ、１４４ｃ、１４４ｄ、１４４ｅ、１４４ｆでパターンが一致する位置が異なる。
【０３２７】
上述した図３１Ａ〜図３１Ｆに示した各実施例では、光学部材６００の内側面に光反射層１４２及び光散乱層１４４を配置し、前記光反射層１４２と光散乱層１４４の密度（幅及び／又は間隔）を調節することによって開口率がレンズ１３０から遠ざかるほど増加するように配置し、光分布の均一性を増進させている。
【０３２８】
図３２Ａ及び図３２Ｂは、図２８Ａの更に他の実施例を示した図である。
【０３２９】
図３２Ａ及び図３２Ｂに示すように、第２のリフレクタ３００は、光学部材６００に対して傾斜するように配置することができる。
【０３３０】
すなわち、第２のリフレクタ３００は、光学部材６００に対して平行に配置してもよく、図３２Ａ及び図３２Ｂのように、光学部材６００に対して傾斜するように配置してもよい。
【０３３１】
このような第２のリフレクタ３００の傾きは、特にレンズ１３０から遠い領域での光の反射を容易にすることができる。
【０３３２】
図３２Ａの第２のリフレクタ３００の傾斜面は平面で、図３２Ｂの第２のリフレクタ３００の傾斜面は曲面である。
【０３３３】
図３３は、実施例に係る表示装置の分解斜視図である。
【０３３４】
図３３に示すように、表示装置１０は、光源モジュール（図示せず）と、バックライト１１と、前記バックライト１１上に配置され、前記光源モジュールから伝達された光を表示装置の前方に案内する拡散シート１４と、前記拡散シート１４の前方に配置される第１のプリズムシート１５及び第２のプリズムシート１６と、前記第２のプリズムシート１６の前方に配置されるパネル１７と、前記パネル１７の前方に配置されるカラーフィルタ１８とを含んで構成される。
【０３３５】
拡散シート１４、第１のプリズムシート１５及び第２のプリズムシート１６は光学シートをなすが、前記光学シートは、他の組み合わせ、例えば、マイクロレンズアレイからなるか、拡散シートとマイクロレンズアレイの組み合わせ又は一つのプリズムシートとマイクロレンズアレイの組み合わせなどからなることもある。
【０３３６】
拡散シート１４は、ポリエステルとポリカーボネート系列の材料からなってもよく、バックライトから入射された光を屈折と散乱させ、光の投射角を最大に広げることができる。
【０３３７】
そして、前記拡散シート１４は、光拡散剤を含む支持層と、光出射面（第１のプリズムシートの方向）と光入射面（反射シートの方向）に形成され、光拡散剤を含まない第１のレイヤー及び第２のレイヤーとを含むことができる。
【０３３８】
そして、前記支持層は、メタクリル酸―スチレン共重合体とメタクリル酸メチル―スチレン共重合体とが混合された樹脂１００重量部に対して、１〜１０μｍの平均粒径を有したシロキサン系光拡散剤０.１〜１０重量部、１〜１０μｍの平均粒径を有したアクリル系光拡散剤０.１〜１０重量部を含むことができる。
【０３３９】
そして、前記第１のレイヤーと第２のレイヤーは、メタクリル酸メチル―スチレン共重合体樹脂１００重量部に対して、紫外線吸収剤０.０１〜１重量部、帯電防止剤０.００１〜１０重量部を含むことができる。
【０３４０】
また、前記拡散シート１４において、前記支持層の厚さは１００〜１００００μｍで、前記各レイヤーの厚さは１０〜１０００μｍである。
【０３４１】
そして、前記第１のプリズムシート１５は、支持フィルムの一面に、透光性でありながら弾性を有する重合体材料で形成されるが、前記重合体は、複数の立体構造が繰り返して形成されたプリズム層を有することができる。
【０３４２】
ここで、前記複数のパターンは、図示したように山部と谷部を繰り返すストライプタイプに備ることができる。
【０３４３】
そして、前記第２のプリズムシート１６において、支持フィルムの一面の山部と谷部の方向は、前記第１のプリズムシート１５内の支持フィルムの一面の山部と谷部の方向に対して垂直であり得る。これは、光源モジュールと反射シートから伝達された光を前記パネル１７の全方向に均一に分散させるためである。
【０３４４】
そして、図示していないが、前記それぞれのプリズムシート上には保護シートを備えることができるが、支持フィルムの両面には光拡散性粒子とバインダーを含む保護層を備えることができる。また、前記プリズム層は、ポリウレタン、スチレンブタジエン共重合体、ポリアクリレート、ポリメタクリレート、ポリメチルメタクリレート、ポリエチレンテレフタレートエラストマー、ポリイソプレン、ポリシリコンからなる群から選択される重合体材料からなり得る。
【０３４５】
前記パネル１７は液晶表示パネルを含むことができるが、液晶表示パネルの他に、光源を必要とする他の種類のディスプレイ装置を備えることもできる。
【０３４６】
前記パネル１７は、各ガラス基板の間に液晶が位置し、光の偏光性を用いるために偏光板を両側のガラス基板に載せた状態となっている。ここで、液晶は、液体と固体の中間的な特性を有するが、液体のように流動性を有する有機分子である液晶は、結晶のように規則的に配列された状態であり、前記分子配列が外部電界によって変化する性質を用いて画像を表示する。
【０３４７】
ディスプレイ装置に使用される液晶表示パネルは、アクティブマトリックス方式であって、各画素に供給される電圧を調節するスィッチとしてトランジスタを使用する。
【０３４８】
そして、前記パネル１７の前面にはカラーフィルタ１８が備えられ、前記パネル１７から投射された光のうち、各画素ごとに赤色、緑色及び青色の光のみを透過するので、画像を表現することができる。
【０３４９】
このように、各実施例は、第１のリフレクタと第２のリフレクタとの間に光源モジュールを配置し、光源モジュールの各光源の間に第３のリフレクタを配置することによって、重さが軽く、大量生産が可能であり、均一な輝度を提供できるエアガイド用バックライトユニットを提供することができる。
【０３５０】
また、各実施例は、光源モジュールから放出された光が光学部材全体に均一に投射され、パネルに伝達される光の分布を均一にすることができる。
【０３５１】
したがって、バックライトユニットの経済性及び信頼性を向上させることができる。
【符号の説明】
【０３５２】
１００  光源モジュール
２００  第１のリフレクタ
３００  第２のリフレクタ
４００  第３のリフレクタ
【図１Ａ】
0005936824.tif 000002
【図１Ｂ】
0005936824.tif 000003
【図１Ｃ】
0005936824.tif 000004
【図２Ａ】
0005936824.tif 000005
【図２Ｂ】
0005936824.tif 000006
【図２Ｃ】
0005936824.tif 000007
【図３Ａ】
0005936824.tif 000008
【図３Ｂ】
0005936824.tif 000009
【図３Ｃ】
0005936824.tif 000010
【図４Ａ】
0005936824.tif 000011
【図４Ｂ】
0005936824.tif 000012
【図４Ｃ】
0005936824.tif 000013
【図５Ａ】
0005936824.tif 000014
【図５Ｂ】
0005936824.tif 000015
【図５Ｃ】
0005936824.tif 000016
【図６Ａ】
0005936824.tif 000017
【図６Ｂ】
0005936824.tif 000018
【図６Ｃ】
0005936824.tif 000019
【図７Ａ】
0005936824.tif 000020
【図７Ｂ】
0005936824.tif 000021
【図８Ａ】
0005936824.tif 000022
【図８Ｂ】
0005936824.tif 000023
【図８Ｃ】
0005936824.tif 000024
【図８Ｄ】
0005936824.tif 000025
【図８Ｅ】
0005936824.tif 000026
【図９Ａ】
0005936824.tif 000027
【図９Ｂ】
0005936824.tif 000028
【図９Ｃ】
0005936824.tif 000029
【図１０Ａ】
0005936824.tif 000030
【図１０Ｂ】
0005936824.tif 000031
【図１０Ｃ】
0005936824.tif 000032
【図１０Ｄ】
0005936824.tif 000033
【図１１】
0005936824.tif 000034
【図１２Ａ】
0005936824.tif 000035
【図１２Ｂ】
0005936824.tif 000036
【図１２Ｃ】
0005936824.tif 000037
【図１２Ｄ】
0005936824.tif 000038
【図１３Ａ】
0005936824.tif 000039
【図１３Ｂ】
0005936824.tif 000040
【図１４Ａ】
0005936824.tif 000041
【図１４Ｂ】
0005936824.tif 000042
【図１５】
0005936824.tif 000043
【図１６】
0005936824.tif 000044
【図１７Ａ】
0005936824.tif 000045
【図１７Ｂ】
0005936824.tif 000046
【図１７Ｃ】
0005936824.tif 000047
【図１８Ａ】
0005936824.tif 000048
【図１８Ｂ】
0005936824.tif 000049
【図１８Ｃ】
0005936824.tif 000050
【図１９】
0005936824.tif 000051
【図２０Ａ】
0005936824.tif 000052
【図２０Ｂ】
0005936824.tif 000053
【図２０Ｃ】
0005936824.tif 000054
【図２０Ｄ】
0005936824.tif 000055
【図２１】
0005936824.tif 000056
【図２２】
0005936824.tif 000057
【図２３】
0005936824.tif 000058
【図２４】
0005936824.tif 000059
【図２５】
0005936824.tif 000060
【図２６】
0005936824.tif 000061
【図２７】
0005936824.tif 000062
【図２８Ａ】
0005936824.tif 000063
【図２８Ｂ】
0005936824.tif 000064
【図２９Ａ】
0005936824.tif 000065
【図２９Ｂ】
0005936824.tif 000066
【図２９Ｃ】
0005936824.tif 000067
【図３０Ａ】
0005936824.tif 000068
【図３０Ｂ】
0005936824.tif 000069
【図３１Ａ】
0005936824.tif 000070
【図３１Ｂ】
0005936824.tif 000071
【図３１Ｃ】
0005936824.tif 000072
【図３１Ｄ】
0005936824.tif 000073
【図３１Ｅ】
0005936824.tif 000074
【図３１Ｆ】
0005936824.tif 000075
【図３２Ａ】
0005936824.tif 000076
【図３２Ｂ】
0005936824.tif 000077
【図３３】
0005936824.tif 000078